(57)【要約】【課題】本発明は、携帯用端末機上で文字を入力する際に、使用者のキー入力回数を最小化できる方法及び装置を提供するためのものである。【解決手段】本発明は、キー入力部のキー押さえを確認する過程と、前記キー押さえによるキー押さえイベントを格納し、前記キー押さえイベントに対する動作を遂行する過程と、前記キー押さえの以後、予め定まるマルチクリックキーの入力の可否を確認する過程と、前記マルチクリックキーが入力されたならば、前記マルチクリックキーに対応して予め設定された回数ぐらい前記キー押さえイベントに対する動作を繰り返して遂行する過程とを含むことを特徴とする。【選択図】図２
2006087117.tif 000002
【特許請求の範囲】
【請求項１】
携帯用端末のキー入力方法であって、
キー入力部のキー押さえを確認する過程と、
前記キー押さえによるキー押さえイベントを格納して、前記キー押さえイベントに対する動作を遂行する過程と、
前記キー押さえの以後に予め定まるマルチクリックキーの入力の可否を確認する過程と、
前記マルチクリックキーが入力されたならば、前記マルチクリックキーに対応して予め設定された回数だけ前記キー押さえイベントに対する動作を繰り返して遂行する過程と、
を含むことを特徴とする携帯用端末のキー入力方法。
【請求項２】
複数のメニュー項目から構成されたメニュー画面で前記マルチクリックキーが入力されたならば、ページ繰り動作を遂行する過程を更に含むことを特徴とする請求項１に記載の携帯用端末のキー入力方法。
【請求項３】
前記マルチクリックキーは、
前記キー入力部のキーボタン中、文字が割り当てられていないキーボタンに割り当てられることを特徴とする請求項１に記載の携帯用端末のキー入力方法。
【請求項４】
前記マルチクリックキーは、
‘*’または‘#’キーに割り当てられることを特徴とする請求項１に記載の携帯用端末のキー入力方法。
【請求項５】
携帯用端末のキー入力装置であって、
１つの数字と少なくとも１つの文字が割り当てられた数字キーボタンと、マルチクリック機能が割り当てられた非数字キーボタンとを備えるキー入力部と、
前記キー入力部のキー押さえを確認して、前記キー押さえイベントに対する動作を遂行した後、前記マルチクリックキーの入力の可否を確認し、
前記マルチクリックキーが入力されたならば、前記マルチクリックキーに対して予め設定された回数だけ前記キー押さえイベントに対する動作を繰り返して遂行する制御部と、
を含むことを特徴とする携帯用端末のキー入力装置。
【請求項６】
前記キー入力部は、
スペース機能と新行入力機能が割り当てられた非数字キーボタンと、
‘／’記号と‘@’記号が割り当てられた‘０’数字キーボタンと、
を備え、
前記‘／’と‘@’は英文入力モードで使われることを特徴とする請求項５に記載の携帯用端末のキー入力装置。
【請求項７】
前記制御部は、
複数のメニュー項目から構成されたメニュー画面で前記マルチクリックキーの入力の可否を確認し、
前記マルチクリックキーが入力されたならば、ページ繰り動作を遂行することを特徴とする請求項５に記載の携帯用端末のキー入力装置。
【請求項８】
前記非数字キーボタンは、
‘*’記号が割り当てられた*キーボタン、あるいは、‘#’記号が割り当てられた#キーボタンであることを特徴とする請求項５に記載の携帯用端末のキー入力装置。
【請求項９】
前記制御部は、
複数のメニュー項目から構成されたメニュー画面で前記マルチクリックキーの入力の可否を確認し、各メニュー項目毎に前記マルチクリックキーが異なる回数のキー押さえ動作を遂行することを特徴とする請求項５に記載の携帯用端末のキー入力装置。
【発明の詳細な説明】
【技術分野】
【０００１】
本発明は、携帯用端末機に関し、特に、携帯用端末機における文字入力方法及び装置に関する。
【背景技術】
【０００２】
最近、移動通信の発達によって個人が移動中に通話を実行できるようにする携帯用端末機が開発されて広く普及している。特に、このような携帯用端末機は使用者が音声だけでなく、文字などのデータも送・受信することができるように具現されている。そして、携帯用端末機には文字などのデータ送・受信時に必要な文字などのデータ入力を遂行するためのキー入力部が備えられている。
【０００３】
一方、携帯用端末機は、携帯の容易性のために、小型化及び軽量化されて行っている。端末機の体積が小さくなることにつれて、端末機でキー入力部が占めることができる面積もますます小さくなることになった。このような理由によって、最近の大部分の端末機は基本的なファンクションキー及び数字キーのみを備えている。しかしながら、端末機の機能は多様化していて、必要なキーの数は増えている趨勢である。したがって、１つのキーが多数の機能を遂行できるように、例えば、キー押さえ時間や回数によって相異する動作を遂行するようにしている。この際、１つの一括的な動作(例えば、機能モードの選択は‘１’を長く押さえる)を遂行するためのキーの設定は容易である。しかしながら、多数の文字を入力するべき動作では単純にキー押さえ時間や回数だけでそれぞれの文字に該当するキーを設定するには基本的にキー入力部が有したキーの数字が少ないという問題がある。それで、従来には１つの数字キーに多数の文字を割り当てて、キーが押さえられる回数によって文字を入力できるようにしている。
【０００４】
図１は、従来の文字／記号入力方式のキーパッド構造を示す図面である。
【０００５】
従来のキーパッドを用いた文字入力方法及び各キーの機能を注意深くみれば、
【０００６】
【数１】
2006087117.tif 000003
【０００７】
や‘Ｓ’のような文字を入力するには７番ボタンを３回押さえなければならない。既存のキーパッド入力方式は７番ボタンを１回押さえる毎に
【０００８】
【数２】
2006087117.tif 000004
【０００９】
または、‘Ｐ’、‘Ｒ’、‘Ｓ’のような方式で循環する構造を有する。そして、ハングル入力の際、空白を入力するには、大部分方向キーを使用するが、文字の中間に空白を挿入する場合、英文モードに変換して空いた空間を挿入(space)しなければならない。また、顔文字の作成や、次行への移しを希望する際、新しい行を入力するボタンがないので、矢印方向キーにより行の終わりまで移した後、次行に移らなければならない。
【００１０】
前記のように、大部分の携帯用端末では、英文やハングル入力のために１つのキーボタンに多数個の文字を割り当てている。その中から自分が希望する文字を入力するには、繰り返して同じキーボタンを押さえなければならなかった。
【００１１】
そのようになれば、前記キーボタンに割り当てられた文字が循環しながら画面に表れる。しかしながら、文字が割り当てられたキーボタンが１２個に制限されて、１つのキーに一般的に３個以上の文字が割り当てられているので、１つの文字を入力するために多くは４〜５回まで１つのキーを押さなければならなくて、メニューでも繰り返してキー押さえを行うことになる面倒さがあった。これによって、時間の浪費はもちろん、キーパッドの寿命も短縮させることになる。
【００１２】
しかしながら、このような短所を解消するために、既存の端末の文字配列を無視して新しい文字配列をデザインすることになれば、使用者達が変更された文字配列に慣れるべき苦労を甘受しなければならない問題があった。
【発明の開示】
【発明が解決しようとする課題】
【００１３】
したがって、前記のように動作する従来の技術の問題を解決するために創案された本発明は、携帯用端末機上で文字を入力する時に、使用者のキー入力回数を最小化できる方法及び装置を提供する。本発明は、携帯用端末機においてハングル及び英文字の入力を容易にする文字入力方法及び装置を提供する。本発明は、既存の英文キーに対する配列及び既存のハングルキー方式に対する配列を変形しない、かつ、効率のよい入力方式になるように変更する方法及び装置を提供する。
【課題を解決するための手段】
【００１４】
本発明の実施形態は、携帯用端末のキー入力方法であって、キー入力部のキー押さえを確認する過程と、前記キー押さえによるキー押さえイベントを格納して、前記キー押さえイベントに対する動作を遂行する過程と、前記キー押さえの以後の予め定まるマルチクリックキーの入力の可否を確認する過程と、前記マルチクリックキーが入力されたならば、前記マルチクリックキーに対応して予め設定された回数だけ前記キー押さえイベントに対する動作を繰り返して遂行する過程とを特徴とする。
【００１５】
本発明の他の実施形態は、携帯用端末のキー入力装置であって、１つの数字と少なくとも１つの文字が割り当てられた数字キーボタンと、マルチクリック機能が割り当てられた第２非数字キーボタンと、を備えるキー入力部と、前記キー入力部のキー押さえを確認して、前記キー押さえイベントに対する動作を遂行した後、前記マルチクリックキーの入力の可否を確認し、前記マルチクリックキーが入力されたならば、前記マルチクリックキーに対して予め設定された回数だけ前記キー押さえイベントに対する動作を繰り返して遂行する制御部と、を含むことを特徴とする。
【発明の効果】
【００１６】
以上、説明したように動作する本発明において、開示される発明中の代表的なものによって得られる効果を簡単に説明すれば次の通りである。
【００１７】
本発明は、既存のキーパッドの文字の配列を大いに変更しない、かつ、より改善された形態の文字入力方式を提供して入力速度を速くすることによって、韓国型端末機だけでなく、ヨーロッパ型、米洲型端末機にも適用可能であり、その他、中国語、日本語を支援する端末機にも適用可能で、文字入力の効率を向上させる効果がある。
【発明を実施するための最良の形態】
【００１８】
以下、添付の図面を参照しながら本発明の動作原理を詳細に説明する。本発明を説明することにおいて、公知機能、または、構成に対する具体的な説明が本発明の要旨を曖昧にすると判断される場合には、その詳細を省略する。そして、後述の用語は本発明における機能を考慮して定義された用語であって、これは、使用者、運用者の意図または慣例などによって変わることができる。したがって、それは、本明細書の全般に亘る内容に基づいて定義されるべきである。
【００１９】
図２は、本発明の実施形態による携帯用端末機のブロック構成図である。
【００２０】
前記図２を参照すれば、制御部２００は、携帯用端末機の全般的な動作を制御する。メモリ２５０は携帯用端末機の全般的な動作を制御する所定のプログラムを格納しており、制御部２００により携帯用端末機の全般的な動作が遂行される際、入出力されるデータ、端末機の状態情報及び文字サービスシステムセンターから伝送される文字メッセージデータなどを所定の設定された領域に格納する。
【００２１】
無線部２１０は基地局と無線通信を遂行して、送・受信される信号を増幅及びフィルターリングして制御部２００と基地局との間の無線信号交換を可能にする。オーディオ部２２０は制御部２００の制御を受けてマイク(MIC)を介して入力される音声信号を無線信号に変調して、また、基地局からリング信号が発生する際、リンガー(Ringer)を介して送出する。
【００２２】
キー入力部２３０は多数の数字キーとファンクションキーとを備えており、使用者が所定のキーを押さえる際、該当するキーデータを発生して制御部２００に出力する。表示部２４０は各種情報を表示する液晶表示部(Liquid Crystal Display: LCD)を含み、制御部２００により制御され、キー入力部２３０から発生するキーデータ及び制御部２００の各種情報信号を入力して表示する。
【００２３】
図３は、本発明の一実施形態による文字／記号力方式のキーパッド構造を示す図面である。
【００２４】
前記図３を参照して注意深くみれば、‘*’模様のキーにスペース(space)と改行(newline)を割り当てたのであり、‘#’にはマルチクリック(multi click)を割り当てた。また、‘／’と‘@’が数字‘０’ボタンに共に割り当てられた。図示してはいないが、本発明の他の実施形態であって、スペース／改行及びマルチクリックは、前記図３とは逆に‘#’キーと‘*’キーに割り当てられることができる。
【００２５】
すなわち、上記のキーパッド構造は空いた空間を文字との間に入力しやすく、‘*’というキーボタンに‘space’キーボタンを割り当てて、‘new line’という新行機能を添加してスペースや方向キーを数回押さえなくても次行に移すことができる。そして、‘*’というキーボタンに割り当てられた‘multi click’ボタンを用いて、文字入力画面で英文字やハングルを入力する際、同じボタンを何度も押さえなければならない面倒さを最小化する。例えば、７番ボタンを押さえ、マルチクリック(multi click)ボタンを一回押さえた場合、７番を３回押さえたことと同一な入力がなされるようにする。また、英文モードで主に使用するように、‘／’、‘@’キーボタンは英文モード用に制限される。ハングルモードにおいて、前記‘／’、‘@’の使用は極めて稀で、Ｅメール作成の際に主に使用するボタンであるので、利用に困難がない。
【００２６】
または、複数のメニュー項目から構成されるメニュー画面において、前記マルチクリックボタンを１回押さえた場合、コンピュータキーボードのPage up、Page downキーのように、メニュー項目が１ページ毎にスクロールできるように指定することができる。例えば、文字入力時には、上記のように、同じキーを、設定された繰り返し回数だけ押さえたことと同じ入力がなされるようにして、電話帳の検索時や、発信通話内訳、着信通話内訳、受信文章保管箱に格納されている受信文字メッセージを検索する場合には、前記マルチクリックボタンを１回押さえた場合、１ページずつスクロールするように設定するものである。もちろん、メニュー画面でも文字入力時のように、特定のボタンを数回押さえるのように、同一なイベントを遂行するように設定することも可能である。このように、文字作成時、メニュー画面及び電話帳の検索時のように、動作プログラム毎にマルチクリックボタンを任意の繰返し回数方式や、ページ繰り方式に選択して使用することができるように、使用者が任意の回数に設定が可能である。
【００２７】
前記マルチクリックと、前記space／newlineは、*や#のように、文字が割り当てられていないキーボタンに割り当てられる。前記マルチクリック機能が割り当てられたキーボタンを本発明ではマルチクリックキーという。
【００２８】
下記の表１は、マルチクリック方式のキーパッドを用いて入力される文字を表した。
【００２９】
【表１】
2006087117.tif 000005
【００３０】
前記表１を参照すれば、ハングルキー＋マルチクリックキーと英文キー＋マルチクリックキーを押さえた時の入力方式を見せる。マルチクリックキーは以前に入力されたボタンをもう２回押さえる効果を提供するものであって、例えば、７番ボタン＋マルチクリックボタンは７番ボタンを３回押さえた効果を表す。
【００３１】
英文の場合を注意深くみれば、‘Ｖ’を押さえるために、８番ボタンを３回押さえなければならないが、前記図３のキーパッドを使用すれば単に２つのキー、すなわち、８番＋マルチクリックキーを押すことによって入力されるようにする。
【００３２】
図４は、本発明の実施形態によるマルチクリックキーに対する制御部の動作を表したフローチャートである。
【００３３】
ステップＳ４００でキー入力部のキー押さえイベントを制御部で確認した後、ステップＳ４１０で前記キー押さえイベントをメモリ部に格納することになる。次に、ステップＳ４２０に進行して、前記キー押さえイベントに対する動作を遂行することになる。ステップＳ４３０で制御部はマルチクリックキーの入力の可否を聞くことになり、前記マルチクリックキーが入力されたのでなければ、ステップＳ４００に戻る。一方、マルチクリックキーが入力されたならば、ステップＳ４４０に進行して制御部は予め設定された回数‘Ｎ’だけ前記キー押さえイベントに対する動作を繰り返して遂行する。
【００３４】
ここで、‘Ｎ’は繰返し動作回数を表す。例えば、Ｎ＝２と設定した後、数字５番キーボタンに設定された文字が順次に‘Ｊ’、‘Ｋ’、‘Ｌ’とすると、Ｌを押さえるには前記数字５番ボタンを１回押さえて、次にマルチクリックキーを１回押さえればよい。仮りに、前記５番ボタンを２回押さえれば‘Ｋ’が選択され、また、マルチクリックボタンを押さえれば‘Ｋ’‘Ｌ’‘Ｊ’となって、最終的に’Ｊ‘が表される。
【００３５】
前記のようなマルチクリックキーの使用方式は文字キー入力時だけでなく、メニューキーやファンクションキーの入力時にも適用可能である。
【００３６】
図５は、本発明の一例を説明するために、文字メッセージを作成するためのエディターウィンドウを示す図面である。
【００３７】
文字作成のための画面５００でハングルから英文に、英文から特殊文字に等のモード変換のためには、モード変換のためのメニューキーを数回押さえなければならない。この際、メニューキーを１回だけ押してマルチクリックキーを押さえれば、同一なイベントが繰り返して発生するので２回連続でメニューキーを押さえたことと同一な効果が与えられる。また、携帯用端末機のメニュー画面にベル音管理、ディスプレイ管理、電話帳管理、発信通話内訳、着信通話内訳、制御板、写真管理、動映像管理などの多様なメニュー項目が存在するならば、前記マルチクリックキーを使用して１回に２つのメニュー項目、あるいは、３つのメニュー項目を移しながら希望するメニューを選択することができ、電話帳を検索する際にも携帯用端末機に格納された多数の名前または電話番号をマルチクリックキーを用いて速やかに検索することができる。
【００３８】
英語、ハングルだけでなく、入力が容易でない中国語、日本語の場合は、英文で発音を入力した後、漢文や日本語を選択するので、選択のために表示される文字の個数が多いので、ハングルに比べてはるかに多くのキーを押さえるべきである。このような場合、マルチクリックキーを使用することになれば、はるかに速く文字の入力が可能である。前記中国語または日本語の場合、メニュー選択やその他の特殊な状況で同一なボタンを数回押さえなければならない場合に、使用者がクリックの回数を設定することになれば、ダブル(double)クリック、トリプル(triple)クリック、そして、より多くの数のキー入力をマルチクリックというキーボタン１つで遂行できることになる。
【００３９】
表２は、本発明のダブルクリック方式を適用してシミュレーションした結果を表した表である。
【００４０】
【表２】
2006087117.tif 000006
【００４１】
前記表２のように、実際にマルチクリック機能を適用してＮ＝２である時、英文入力に対するシミュレーションをしてみると、最大１６．５１％の効率の向上をもたらした。すなわち、本発明は、既存のキーパッド構造に比べて１６．５１％だけ少なく押さえても同一な文章を入力することができ、ハングルの場合はシミュレーション状況によって最大１０％〜最小２％の効率の向上をもたらす。
【００４２】
以上、本発明の詳細について具体的な実施形態に基づいて説明してきたが、本発明の範囲を逸脱しない限り、各種の変形が可能なことは明らかである。したがって、本発明の範囲は、前記実施形態に限定されるものではなく、特許請求の範囲及び該範囲と均等なものにより定められるべきである。
【図面の簡単な説明】
【００４３】
【図１】従来の文字／記号入力方式のキーパッド構造を示す図面である。
【図２】本発明の望ましい実施形態による使用者端末機のブロック構成図である。
【図３】本発明の望ましい実施形態による文字／記号入力方式のキーパッド構造を示す図面である。
【図４】本発明の望ましい実施形態によるマルチクリックキーに対する動作のフローチャートである。
【図５】本発明の望ましい実施形態によるマルチクリックキーを示す図面である。
【符号の説明】
【００４４】
２００  制御部
２１０  無線部
２２０  オーディオ部
２３０  キー入力部
２４０  表示部
２５０  メモリ
【図１】
2006087117.tif 000007
【図２】
2006087117.tif 000008
【図３】
2006087117.tif 000009
【図４】
2006087117.tif 000010
【図５】
2006087117.tif 000011